(57)【特許請求の範囲】
【請求項１】
床面に設置される本体部と、本体部から鉛直上方に延びる壁部とを有する排水仕切り材であって、
前記本体部は、排水溝部と同排水溝部より幅方向外側に位置する溝縁部とを有し、
前記溝縁部の外端部は第１の高さを有し、前記溝縁部における前記外端部よりも幅方向内側には前記第１の高さとは異なる第２の高さとなる位置を有し、同第２の高さとなる位置には奥行き方向に沿って切断表示部を有することを特徴とする排水仕切り材。
【請求項２】
前記第１の高さが前記第２の高さよりも高いことを特徴とする請求項１に記載の排水仕切り材。
【請求項３】
前記切断表示部は、奥行き方向に沿って前記溝縁部の上面に形成された溝であることを特徴とする請求項１又は２に記載の排水仕切り材。
【請求項４】
前記溝縁部は前記排水溝部との境界に斜面を有し、前記排水溝部より前記溝縁部の方が高くなっていることを特徴とする請求項１ないし３のいずれか１項に記載の排水仕切り材。
【請求項５】
前記排水仕切り材は、その幅方向断面形状が前記壁部を中心として対称であり、
壁部を挟んで幅方向両側に前記排水溝部と前記溝縁部とを有することを特徴とする請求項１ないし４のいずれか１項に記載の排水仕切り材。
【発明の詳細な説明】
【技術分野】
【０００１】
本発明は、集合住宅の隣接するベランダ等の境界に設置される排水仕切り材に関する。
【背景技術】
【０００２】
集合住宅には、１つのフロアに複数の住居が設置されており、これら複数の住居のうち隣接する住居のベランダは仕切り壁で仕切られている。
この仕切り壁はベランダの床面には接しておらず、仕切り壁の下側は開放空間となっているため、自己のベランダで水やりや水掃除を行った場合、放水の方向や水量によっては、仕切り壁の下の開放空間を通って水が隣接する住居のベランダに浸入することがある。
【０００３】
そのため、あるベランダとこれに隣接するベランダとの境界となる床面に、上方に延びる仕切り壁を有する排水仕切り材を配置し、この排水仕切り材により隣接するベランダへの水の浸入を防ぐとともに、排水仕切り材に位置する水をベランダ先端の側溝に案内している（特許文献１）。
【先行技術文献】
【特許文献】
【０００４】
【特許文献１】特開２０１４−１１８７０８号公報
【発明の概要】
【発明が解決しようとする課題】
【０００５】
ところで、ベランダには、排水仕切り材のみならず、防水性や防滑性、意匠性を考慮し床材を設置することがある。排水仕切り材とともに床材を設置する場合には、排水仕切り材の端部に沿わせて床材を設置すると双方の間に隙間が生じなくなるため好ましい。
【０００６】
ここで、床材には、材質や形状等にバリエーションが存在し、そのバリエーションの一つとして床材の高さ（厚み）がある。このため、ベランダに設置する床材として複数の異なる高さを選択可能な場合がある。
【０００７】
しかし、床材とともに設置する排水仕切り材の端部の高さは一定のため、床材の高さが排水仕切り材の高さと対応する場合には双方の高さが揃うが、排水仕切り材の端部の高さと床材の高さが異なる場合には双方の境界部分に段差が生じて清掃性に影響を及ぼす等の問題がある。
【０００８】
そこで、本発明は上記問題に鑑み、異なる高さの床材に対応することができる排水仕切り材を提供することを目的とする。
【課題を解決するための手段】
【０００９】
上記課題を解決するため、請求項１は、床面に設置される本体部と、本体部から鉛直上方に延びる壁部とを有する排水仕切り材であって、前記本体部は、排水溝部と同排水溝部より幅方向外側に位置する溝縁部とを有し、前記溝縁部の外端部は第１の高さを有し、前記溝縁部における前記外端部よりも幅方向内側には前記第１の高さとは異なる第２の高さとなる位置を有し、同第２の高さとなる位置には奥行き方向に沿って切断表示部を有することを特徴とする。
【００１０】
この構成により、第１の高さに対応する床材を使用する場合には、排水仕切り材をそのまま使用することができ、第２の高さに対応する床材を使用する場合には排水仕切り材を切断表示部に沿って切断すれば、切断後の排水仕切り材の端部は第２の高さとなるため、第２の高さの床材と対応させることができる。
【００１１】
請求項２は、前記第１の高さが前記第２の高さよりも高いことを特徴とする。これにより、排水仕切り材において溝縁部の外縁を最も高くすることができ、溝縁部の上に位置する水を排水溝部に案内することが可能となる。
【００１２】
請求項３は、前記切断表示部は、奥行き方向に沿って前記溝縁部の上面に形成された溝であることを特徴とする。これにより、溝に沿って溝縁部を切断すれば第２の高さを有する端部を形成することができる。
【００１３】
請求項４は、前記溝縁部は前記排水溝部との境界に斜面を有し、前記排水溝部より前記溝縁部の方が高くなっていることを特徴とする。これにより、溝縁部の斜面を排水溝部の外側の堤として利用することができる。
【００１４】
請求項５は、前記排水仕切り材は、その幅方向断面形状が前記壁部を中心として対称であり、壁部を挟んで幅方向両側に前記排水溝部と前記溝縁部とを有することを特徴とする。これにより、排水仕切り材を奥行き方向に１８０度回転させても同一形状となるため、排水仕切り材の奥行き方向の向きが変わってもそのまま使用することができる。
【発明の効果】
【００１５】
本発明の排水仕切り材によれば、異なる高さの床材に対応することができる。
【図面の簡単な説明】
【００１６】
【図１】本実施形態に係る排水仕切り材の斜視図。
【図２】本実施形態に係る排水仕切り材の幅方向断面図。
【図３】本実施形態に係る排水仕切り材の部分拡大図。
【図４】本実施形態に係る排水仕切り材と床材の設置状態を示す説明図。
【図５】厚さ２．５ｍｍの床材を設置した場合の排水仕切り材の断面図。
【図６】厚さ２ｍｍの床材を設置した場合の排水仕切り材の断面図。
【図７】図７（ａ）、図７（ｂ）はともに排水仕切り材の変更例を示す説明図。
【図８】図８（ａ）ないし図８（ｄ）はともに排水仕切り材の変更例を示す説明図。
【発明を実施するための形態】
【００１７】
以下、本発明を具体化した排水仕切り材１０の一実施形態を図１〜図６にしたがって説明する。なお、排水仕切り材１０とともにベランダ３０に設置する床材には高さが異なる２種類、具体的には高さ２．５ｍｍの床材Ａ、高さ２ｍｍの床材Ｂの２種類が存在するものとして以下の説明をするが、ここで説明する床材Ａ、Ｂの高さは一例にすぎず、この高さに限られるものではない。また、排水仕切り材１０についても大きさ等がイメージしやすいように具体的な数値を示すが、その数値は一例に過ぎず限定されるものではない。
【００１８】
排水仕切り材１０の構成
図１は、本実施形態の排水仕切り材１０の斜視図であり、図２は同排水仕切り材１０の幅方向断面図である。なお、排水仕切り材１０において、幅（左右）、奥行き、高さ（上下）とは、図１及び図２に示した方向をいう。また、幅方向内側とは図２の左右中央側、幅方向外側とは図２の左右外側をいう。
【００１９】
図２に示すように排水仕切り材１０は、略薄板状の本体部１１と本体部１１の上面において幅方向中央から上方向に延びる壁部１２とを有しており、全体として、略逆Ｔ字状をなしている。
【００２０】
また、排水仕切り材１０は、図１の斜視図に示すように、図２に断面図として示す略逆Ｔ字状が奥行き方向に連続して形成された一体成形である。このため、以下の説明における図２に基づく排水仕切り材１０の形状は、特に説明がなくとも排水仕切り材１０の奥行き方向に連続して形成されている。
【００２１】
排水仕切り材１０の具体的な大きさを示すと、排水仕切り材１０の全幅、すなわち図２に示す本体の幅方向の長さは１００ｍｍであり、排水仕切り材１０の全高、すなわち図２に示す壁部１２の頂部までの高さ（底面１３からの高さをいう。以下同様）は２５ｍｍである。
【００２２】
図２に示すように、排水仕切り材１０は、壁部１２を中心として幅方向に対称形状をなし、本体部１１には壁部１２に近い側から順に排水溝部１４、溝縁部１５が壁部１２の幅方向両側にそれぞれ形成されている。また、本体部１１の底面１３は平面であるが、微視的には幅方向に細かな円弧状の凹凸が形成されている。なお、排水仕切り材１０は、図２において壁部１２を挟んで幅方向に対称形状をなすため、本体部１１の排水溝部１４及び溝縁部１５の説明については図２の左右いずれか一方のみを説明し、他方の説明を省略する。
【００２３】
排水溝部１４は、排水仕切り材１０の上面に位置する水を排水仕切り材１０の奥行方向に沿って流すための流路となるものであり、その上面には幅方向に略均等に３つの突条１６が形成されている。この３つの突条１６が排水仕切り材１０の奥行き方向に沿って平行に形成されることにより排水溝部１４の領域が幅方向に４分割され、排水溝部１４における流路の個々の幅が狭くなって水の蛇行を防止する。
【００２４】
溝縁部１５は、排水溝部１４の幅方向外側（壁部１２から離れる側）に排水溝部１４に連続して形成されており、排水溝部１４よりもその上面が高く形成されている。
図３に、図２に示す排水仕切り材１０の幅方向における断面図のうち溝縁部１５を中心とした拡大断面図を示すが、説明の便宜上図２に図示しているハッチング（平行斜線）を省略している。
【００２５】
図３に示すように、溝縁部１５の上面のうち排水溝部１４に接して幅方向外側に向かうほど高さが高くなる斜面１７が形成されている。また、溝縁部１５の上面は、この斜面１７の上端から幅方向外側に向かうほど順次高さが高くなる緩斜面となっており、最も外側に位置する外端部１８の上面が最も高くなっている。なお、外端部１８の高さ（第１の高さ）は床材Ａの高さに合わせて設定されており２．５ｍｍである。また、溝縁部１５のうち斜面１７上端の高さは１．８ｍｍである。
【００２６】
溝縁部１５のうち幅方向における略中央部、具体的には溝縁部１５の上面の高さが２ｍｍ（第２の高さ）となる位置には、溝縁部１５の上面にＶ溝１９が形成されている。このＶ溝１９は幅方向に直交して形成されており、上面開口の幅は０．５ｍｍ、深さは０．２５ｍｍである。なお、Ｖ溝１９の上面開口のうち幅方向の中心が、Ｖ溝１９が形成されていないとした場合に溝縁部１５の上面の高さが２ｍｍとなる位置である。
【００２７】
したがって、溝縁部１５の上面が２ｍｍの高さ（第２の高さ）となる位置とは、溝縁部１５の上面高さが実際に２ｍｍである場合はもちろん、溝縁部１５にＶ溝１９が形成されていない（Ｖ溝１９を埋めた）場合に溝縁部１５の上面が２ｍｍの高さとなる位置を含む概念である。このＶ溝１９は切断表示部として機能するものであり、Ｖ溝１９に沿って溝縁部１５を排水仕切り材１０の奥行き方向にカットしていくと、溝縁部１５のうちＶ溝１９よりも幅方向外側を切断分離することができ、カット後の排水仕切り材１０の端部２０（カット端部２０）は高さが２ｍｍとなる。
【００２８】
図２に示すように壁部１２の断面形状は左右対称形状をなす。壁部１２のうち本体部１１からの立ち上がり部分は上方に向かうほど順次幅が狭くなる断面直線状をなし、その上部は一定幅のまま上方に立ち上がっており、さらにこれに続く頂部はその下側部分よりも大きな断面略ひし形状に形成されている。この壁部１２が仕切り壁Ｗの下方空間のうちベランダ３０床面上に立ち上がることにより、ベランダ３０で使用した水が隣接する住居のベランダ３０に流れることを防止する。
【００２９】
排水仕切り材１０の製造
排水仕切り材１０は、熱可塑性エラストマーを材料として押出成形により形成される。排水仕切り材１０として使用することのできる熱可塑性エラストマーとしてはポリ塩化ビニル、ポリスチレン、ポリオレフィン、ポリウレタン、ポリエステル等がある。
【００３０】
また、排水仕切り材１０は押出成形により連続して形成されるため、排水仕切り材１０の奥行き方向の長さは特に限定がなく、押出成形の過程において運搬や保管等に適した長さに切断し、さらに施工現場（排水仕切り材１０を設置するベランダ３０）にて、必要な長さにカットすればよい。
【００３１】
排水仕切り材１０のベランダ３０への設置方法
本実施形態の排水仕切り材１０を集合住宅のベランダ３０に設置する方法について説明する。使用する床材は、高さの異なる２種類（高さ２．５ｍｍの床材Ａ、高さ２ｍｍの床材Ｂ）であるため、以下、個別に説明する。
【００３２】
ベランダ３０に高さ２．５ｍｍの床材Ａと併せて排水仕切り材１０を設置する場合
まず、排水仕切り材１０をベランダ３０の出幅に合わせた長さにカットする。具体的には排水仕切り材１０の奥行き方向の長さをベランダ３０の部屋側の壁からベランダ３０の手すり側の側溝手前までの長さにカットする。また、床材Ａも必要に応じてベランダ３０の出幅に合わせてカットする。
【００３３】
次に、排水仕切り材１０及び床材Ａを設置するベランダ３０の床面（下地）上に接着剤を塗布し、排水仕切り材１０を隣接する住居との境界である仕切り壁Ｗの下方空間におけるベランダ３０の床面上に貼る。なお、使用する接着剤はベランダ３０の床面の材質と排水仕切り材１０の材質等に応じて適宜選択すればよい。
【００３４】
続けて、排水仕切り材１０の外端部１８に床材Ａを沿わせながら床材Ａの縁をカットして、排水仕切り材１０の外端部１８と床材Ａの縁との位置を揃えつつ、床材Ａをベランダ３０の床面に貼り付ける。
【００３５】
これにより、図４、図５に示すように、ベランダ３０に排水仕切り材１０と床材Ａが双方の縁を揃えて設置される。また排水仕切り材１０の外端部１８の高さと床材Ａの高さは同じ（２．５ｍｍ）のため、排水仕切り材１０と床材Ａとの境界部分で双方の高さが揃うこととなる。
【００３６】
なお、一つの住居について排水仕切り材１０と床材Ａの設置方法を説明したが、排水仕切り材１０は隣接する住居のベランダ３０間に配置される、いわば隣接する住居のベランダ３０同士で共用するものであるため、他方のベランダ３０についても同様に床材Ａの設置作業を行う。
【００３７】
また、排水仕切り材１０と床材Ａの施工順序として先に排水仕切り材１０を施工する方法について説明したが、これに限らず、床材Ａを設置した後に排水仕切り材１０を設置する場合もあり、排水仕切り材１０と床材Ａの施工順序は限定されるものではない。
【００３８】
高さ２ｍｍの床材Ｂと併せて排水仕切り材１０を設置する場合
高さ２ｍｍの床材Ｂを使用する場合には、排水仕切り材１０をベランダ３０の出幅に合わせた長さにカットした後に、排水仕切り材１０の両側の溝縁部１５をＶ溝１９に沿ってそれぞれカットする。そうすると、カット後の排水仕切り材１０のカット端部２０は高さが２ｍｍとなる。
【００３９】
この排水仕切り材１０を先の説明と同じ手順によってベランダ３０の床面に接着剤を塗布し、排水仕切り材１０を仕切り壁Ｗの下方空間におけるベランダ３０の床面上に貼る。
また、排水仕切り材１０のカット端部２０に床材Ｂを沿わせながら床材Ｂの縁をカットして、排水仕切り材１０のカット端部２０と床材Ｂの縁との位置を揃えつつ、床材Ｂをベランダ３０の床面に貼り付ける。なお、排水仕切り材１０はＶ溝１９に沿ってカットされた分だけ幅狭になっており、その分だけ使用する床材Ｂは大きくなる。
【００４０】
これにより、図６に示すように、ベランダ３０に排水仕切り材１０と床材Ｂが設置され、また排水仕切り材１０のカット端部２０の高さと床材Ｂの高さは同じ（２ｍｍ）のため、境界部分で双方の高さが揃うこととなる。また、隣接する他方のベランダ３０についても同様の床材Ｂの設置作業を行う。
【００４１】
また、排水仕切り材１０と床材Ｂの施工順序として先に排水仕切り材１０を施工する方法について説明したが、床材Ａと同様にこれに限らず、床材Ｂを設置した後に排水仕切り材１０を設置する場合もあり、排水仕切り材１０と床材Ｂの施工順序は限定されるものではない。
【００４２】
なお、これまでは、隣接するベランダ３０に対してともに２．５ｍｍの高さの床材Ａを設置するか、或いはともに２ｍｍの高さの床材Ｂを設置する例について説明したが、隣接するベランダ３０のうちいずれか一方のベランダ３０には高さ２．５ｍｍの床材Ａを設置し、他方のベランダ３０には高さ２ｍｍの床材Ｂを設置することも当然に可能である。このような場合には、排水仕切り材１０のうち高さ２ｍｍの床材Ｂを設置するベランダ３０側に位置する溝縁部１５のみをＶ溝１９に沿ってカットすればよい。
【００４３】
上記実施形態の排水仕切り材１０によれば、以下のような効果を得ることができる。
（１）上記実施形態では、排水仕切り材１０の溝縁部１５のうち外端部１８の高さ（２．５ｍｍ）よりも低い高さ（２ｍｍ）となる位置に奥行き方向に沿ってＶ溝１９が形成されている。このため、外端部１８の高さと同じ高さ（２．５ｍｍ）の床材Ａをベランダ３０に設置するときには排水仕切り材１０をそのまま使用することができ、低い（２ｍｍ）床材Ｂを使用するときには排水仕切り材１０の溝縁部１５をＶ溝１９に沿ってカットすればカット端部２０の高さを低い床材Ｂと対応させることができる。このため、排水仕切り材１０を異なる高さの床材Ａ、Ｂと揃えることができ、境界部分の清掃性が向上する。
【００４４】
（２）排水仕切り材１０は、壁部１２を挟んだ幅方向両側の溝縁部１５にＶ溝１９が形成されている。このため、隣接する住居で使用する床材がともに低い（２ｍｍ）床材Ｂである場合はもちろん、使用する床材の高さが互いに異なる場合（床材Ａ、床材Ｂ）にも対応することができる。すなわち、一方の住居には高さ２．５ｍｍの床材Ａを設置し、隣接する他方の住居にて高さ２ｍｍの床材Ｂを設置する場合でも、排水仕切り材１０のうち他方の住居側に位置する溝縁部１５のみをＶ溝１９に沿ってカットすればよい。
【００４５】
（３）上記実施形態では切断表示部としてＶ溝１９が形成されている。このため、切断具の先端をＶ溝１９内に差し込んでＶ溝１９に沿って奥行き方向に溝縁部１５をカットすればよく、溝縁部１５のカット作業が容易となる。
【００４６】
（４）上記実施形態の排水仕切り材１０は、排水溝部１４の幅方向外側に排水溝部１４に連続して溝縁部１５が形成されており、また、溝縁部１５の上面は斜面１７の上端から幅方向外側に向かうほど順次高さが高くなる緩斜面となって外端部１８の上面が最も高くなっている。このため、溝縁部１５の上面に位置する水はこの緩斜面により排水溝部１４に流れ込み、排水溝部１４を通って排水することができる。
【００４７】
（５）上記実施形態の排水仕切り材１０は、排水溝部１４より溝縁部１５の方が高い斜面１７を有する。このため、斜面１７が排水溝部１４の外側の堤として機能し、排水溝部１４内における排水が可能となる。
【００４８】
（６）上記実施形態の排水仕切り材１０は、その幅方向断面形状が壁部１２を中心として対称であり、壁部１２を挟んで幅方向両側に排水溝部１４と溝縁部１５とを有する。このため、排水仕切り材１０を奥行き方向に１８０度回転させても同一形状となり、排水仕切り材１０の奥行き方向の向きを異ならせてもそのまま使用することができ、排水仕切り材１０の奥行き方向の向きを気にする必要がない。
【００４９】
なお、上記実施形態は以下のように変更してもよい。
○  上記実施形態では異なる２種類の高さの床材Ａ、床材Ｂに対応する排水仕切り材１０について説明したが、床材の高さや排水仕切り材１０について説明したそれぞれの大きさはこれに限られない。また、排水仕切り材１０が対応する床材の高さも２種類に限られず、３種類以上の異なる高さを有する床材に対応する排水仕切り材１０としてもよい。この場合には各溝縁部１５において高さの異なる２箇所以上の位置に複数の切断表示部、上記実施形態ではＶ溝１９が奥行き方向に平行に形成されることになる。
【００５０】
○  上記実施形態では、溝縁部１５を幅方向外側に向かうほど順次高さが高くなる緩斜面としたが、これに限られない。例えば図７（ａ）に示すように、排水溝部１４との境界となる斜面１７の上端部から一定の高さ（２ｍｍ）のままで溝縁部１５が幅方向外側に延び、段差２１を挟んで一定の高さ（２．５ｍｍ）のままで溝縁部１５がさらに幅方向外側に延びて外端部１８に至る形状としてもよい。この排水仕切り材１０では段差２１の下端部が切断表示部となるため、段差２１の下端に沿って溝縁部１５をカットすれば、カット端部２０の高さは２ｍｍとなって低い床材Ｂと合わせて使用することができる。
【００５１】
また、例えば図７（ｂ）に示すように、溝縁部１５の上面を幅方向外側に向かうほど順次低くなる緩斜面としてもよい。この場合には上記実施形態でいえばＶ溝１９（切断表示部）の位置する箇所が２．５ｍｍの高さであり、外端部１８の高さが２ｍｍとなる。
【００５２】
○  上記実施形態では切断表示部としてＶ溝１９としたが、切断表示部は上記実施形態のＶ溝１９に限らない。具体的には、図８（ａ）に示すようにＶ溝１９を形成する場合であってもＶ溝１９のうち幅方向内側の面を鉛直方向に延びる面とし、他方の面を斜面としてもよい。このような形状にすると、カット端部２０の上端面が鉛直面となり、床材Ａ、床材Ｂの縁と合わせやすい。
【００５３】
また、図８（ｂ）に示すように幅が一定の断面矩形状の溝２２としてもよい。さらに、図８（ｃ）に示すように切断表示部を溝ではなく、突条２３としてもよい。突条２３としてもこの突条２３に沿って溝縁部１５をカットすることができる。或いは図８（ｄ）に示すように、切断表示部は形状ではなく溝縁部１５の上面に印刷した線２４でもよい。なお、図８（ｄ）では線２４を強調して断面凸に表示している。
【００５４】
さらには、図示しないが、切断表示部として溝縁部１５に奥行き方向に破線状、点線状の切れ目を形成してもよい。
例えば、溝縁部１５に対して高さの異なる２箇所以上の位置に複数の切断表示部を形成する場合には、各切断表示部の形状を異ならせればカット時に間違いにくくなる。
【００５５】
○  上記実施形態の排水仕切り材１０では、壁部１２の幅方向両側に排水溝部１４と溝縁部１５を形成していたが、壁部１２の一方にのみ排水溝部１４と溝縁部１５を形成してもよい。この場合、排水仕切り材１０の断面形状はＬ字状となる。そして、隣接する住居にも排水仕切り材１０を設置する場合には、２つの排水仕切り材１０を背中合わせに設置すればよい。このようにすれば、排水仕切り材１０を複数色準備することにより、個々のベランダ３０で床材の色と合わせた排水仕切り材１０の色を選択することもできる。
【００５６】
○  上記実施形態では、排水仕切り材１０をベランダ３０に使用する例を示したが、排水仕切り材１０はバルコニー、テラス等に使用することもできる。
○  上記実施形態では、排水仕切り材１０の色には言及していないが、一般的には汚れが目立ちにくいグレー系が好ましい。ただし、グレー系に限らず他の色で形成してもよい。
【符号の説明】
【００５７】
１０・・・排水仕切り材
１１・・・本体部
１２・・・壁部
１３・・・底面
１４・・・排水溝部
１５・・・溝縁部
１８・・・外端部
１９・・・Ｖ溝（切断表示部）
２０・・・カット端部
３０・・・ベランダ
Ａ・・・床材
Ｂ・・・床材
【要約】
【課題】異なる高さの床材に対応することができる排水仕切り材を提供する。
【解決手段】床面に設置される本体部１１と、本体部１１から鉛直上方に延びる壁部１２とを有する排水仕切り材１０であって、前記本体部は、排水溝部１４と同排水溝部１４より幅方向外側に位置する溝縁部１５とを有し、前記溝縁部１５の外端部１８は第１の高さを有し、前記溝縁部１５における前記外端部１８よりも幅方向内側には前記第１の高さとは異なる第２の高さとなる位置を有し、同第２の高さとなる位置には奥行き方向に沿って切断表示部１９を有する。
【選択図】図１【図１】
0006946515.tif 000002
【図２】
0006946515.tif 000003
【図３】
0006946515.tif 000004
【図４】
0006946515.tif 000005
【図５】
0006946515.tif 000006
【図６】
0006946515.tif 000007
【図７】
0006946515.tif 000008
【図８】
0006946515.tif 000009